(57)【特許請求の範囲】
【請求項１】
ポンプハウジングと蓋部材とで構成するポンプ本体内の収容孔に、内歯を有する内歯歯車を回転自在に収容し、内歯歯車の内歯と内接噛合いする外歯を有する外歯歯車を内歯歯車の内部に偏心して収容し、外歯歯車には軸方向へ突出する軸方向突部を形成し、軸方向突部の一端側には駆動軸と係合して駆動軸の回転駆動力が伝達される回転駆動力伝達部を形成すると共に、回転駆動力伝達部の軸方向の内方に連なって駆動軸の先端稜部が位置する個所に凹部を形成し、凹部は駆動軸の先端稜部と非接触に設けたことを特徴とする内接歯車ポンプ。
【発明の詳細な説明】
【０００１】
【発明の属する技術分野】
本発明は、内接歯車ポンプに関し、特に、自動車の自動変速機のためのポンプに用いて好適な内接歯車ポンプに関する。
【０００２】
【従来の技術】
従来の内接歯車ポンプでは、駆動軸としてのオイルポンプドライブハブの先端に、円周上の４ヶ所に爪を突出形成し、各爪を外歯歯車に貫通形成の回転駆動力伝達部としてのスロットに嵌挿（遊嵌）して係止し、オイルポンプドライブハブにより外歯歯車を回転駆動すると、外歯歯車と内接噛合いする内歯歯車が外歯歯車とともに回転駆動され、吸入ポートの油が両歯車間に形成されるポンプ室の吸入領域から吐出領域に搬送されて吐出ポートから吐出される。（例えば、実開平５−１４５７６号公報参照）。
【０００３】
【発明が解決しようとする課題】
ところが、かかる従来の内接歯車ポンプでは、オイルポンプドライブハブの回転駆動と停止の繰り返しに伴い、オイルポンプドライブハブの爪の先端稜部がスロットの内面に繰り返し衝突することで、スロット内面の衝突個所が摩耗して爪の先端稜部が係合する窪みを生じ、この窪みへの爪の先端稜部の係合で、オイルポンプドライブハブがトルクコンバータの圧力作用により外歯歯車に向け軸方向移動することで、外歯歯車がポンプ本体へ向け軸方向に押圧されて焼付きが発生し易くなる問題点があった。
【０００４】
本発明は、駆動軸の先端稜部を外歯歯車と係合することなくし、駆動軸による外歯歯車の軸方向への押圧を軽減して外歯歯車の焼付き発生を抑制し得る内接歯車ポンプを提供することを課題としている。
【０００５】
【課題を解決するための手段】
このため、本発明では、ポンプハウジングと蓋部材とで構成するポンプ本体内の収容孔に、内歯を有する内歯歯車を回転自在に収容し、内歯歯車の内歯と内接噛合する外歯を有する外歯歯車を内歯歯車の内部に偏心して収容し、外歯歯車には軸方向へ突出する軸方向突部を形成し、軸方向突部の一端側には駆動軸と係合して駆動軸の回転駆動力が伝達される回転駆動力伝達部を形成すると共に、回転駆動力伝達部の軸方向の内方に連なって駆動軸の先端稜部が位置する個所に凹部を形成し、凹部は駆動軸の先端稜部と非接触に設けて成る。
【０００６】
かかる本発明の内接歯車ポンプによると、駆動軸を回転駆動すると、駆動軸の回転駆動力が外歯歯車の回転駆動力伝達部を介して伝達され、外歯歯車を回転駆動すると共に、外歯歯車と内接噛合する内歯歯車が外歯歯車とともに回転駆動され、ポンプ作動が得られる。そして、外歯歯車は駆動軸の先端稜部が位置する個所に凹部を形成して駆動軸の先端稜部と非接触で、駆動軸の回転駆動と停止とを繰り返しても駆動軸の先端稜部が係合する窪みを生じることがない。このため、ポンプ作動中に駆動軸が外歯歯車に向け軸方向へ移動しても、駆動軸の先端稜部が外歯歯車と係合することなくできるから、駆動軸による外歯歯車の軸方向への押圧を軽減できて外歯歯車の焼付き発生を抑制することができる。
【０００７】
【発明の実施の形態】
以下、自動車の自動変速機のポンプに適用した本発明の一実施形態を図面に基づき説明する。
図１ないし図３において、１はポンプハウジングで、有底の収容孔２を一端面１Ａに開口形成している。３は蓋部材で、収容孔２の開口を閉じるようポンプハウジング１の一端面１Ａに自身の一端面３Ａを当接し、ポンプハウジング１に複数のボルト４で締結している。そして、ポンプハウジング１と蓋部材３とでポンプ本体５を構成している。６は内歯歯車で、１１個の内歯６Ａを有し、収容孔２へ回転自在に収容している。７は外歯歯車で、内歯６Ａと内接噛合する９個の外歯７Ａを有し、内歯歯車６の内部に偏心して収容している。８は固定軸で、ポンプハウジング１に固定し、軸受ブッシュ９を介して外歯歯車７を回転自在に軸支している。１０は三日月状の仕切り部材で、ポンプハウジング１に一体形成し、収容孔２の底面より開口に向けて突設し、両歯車６、７間に形成されるポンプ室の吸入領域Ｐ１と吐出領域Ｐ２とを仕切っている。
【０００８】
１１Ａは収容孔２の底面に窪み形成の吸入ポート、１１Ｂは蓋部材３の一端面３Ａに窪み形成の吸入ポートで、両吸入ポート１１Ａ、１１Ｂはポンプ室の吸入領域Ｐ１に軸方向の両側よりそれぞれ開口すると共に、ポンプハウジング１の内部で一つの吸入路１２に接続している。１３Ａは吐出ポートで、吸入ポート１１Ａに対して径方向の略対称位置で収容孔２の底面に窪み形成し、ポンプ室の吐出領域Ｐ２に軸方向の一方側より開口すると共に、ポンプハウジング１の内部で吐出路１４に接続している。なお、図示しないが、吸入ポート１１Ｂに対して径方向の略対称位置で蓋部材３の一端面３Ａに吐出ポートを窪み形成し、この吐出ポートはポンプ室の吐出領域Ｐ２に軸方向の他方側より開口すると共に、ポンプハウジング１の内部で吐出路１４に接続している。
【０００９】
１５は駆動軸としてのオイルポンプドライブハブで、中空円筒状に形成し、外歯歯車７と同芯に蓋部材３へ軸受ブッシュ１６を介して回転自在に軸支し、先端内周面にスプライン１５Ａを形成している。外歯歯車７はオイルポンプドライブハブ１５の先端中空部内に向けて軸方向へ突出するオイルポンプドライブハブ１５より小径の軸方向突部７Ａを一体形成し、軸方向突部７Ａの一端側外周面にはオイルポンプドライブハブ１５のスプライン１５Ａと係合するスプライン７Ｂを形成して回転駆動力伝達部としている。そして、外歯歯車７はスプライン７Ｂの軸方向の内方に連なってオイルポンプドライブハブ１５のスプライン１５Ａを形成した先端の径方向内方稜部１５Ｂ（駆動軸の先端稜部）が位置する個所に軸方向突部７Ａ外周面を環状に窪ませて凹部７Ｃを形成し、凹部７Ｃはオイルポンプドライブハブ１５のスプライン１５Ａを形成した先端の径方向内方稜部１５Ｂと非接触に設けている。
【００１０】
次に、かかる構成の作動を説明する。
オイルポンプドライブハブ１５を回転駆動すると、オイルポンプドライブハブ１５の回転駆動力がスプライン１５Ａ、７Ｂを介して外歯歯車７に伝達され、外歯歯車７を回転駆動すると共に、外歯歯車７と内接噛合する内歯歯車６が回転駆動され、吸入路１２の油が吸入ポート１１Ａ、１１Ｂよりポンプ室の吸入領域Ｐ１に吸入されて吐出領域Ｐ２に搬送され、吐出ポート１３Ａより吐出路１４に吐出され、ポンプ作動が得られる。
【００１１】
かかる作動で、外歯歯車７はオイルポンプドライブハブ１５の先端の径方向内方稜部１５Ｂが位置する個所に凹部７Ｃを形成してオイルポンプドライブハブ１５の先端の径方向内方稜部１５Ｂと非接触で、オイルポンプドライブハブ１５の回転駆動と停止とを繰り返してもオイルポンプドライブハブ１５の先端の径方向内方稜部１５Ｂが係合する窪みを生じることがないため、ポンプ作動中にオイルポンプドライブハブ１５が図示しないトルクコンバータの圧力作用により外歯歯車７に向け軸方向へ移動しても、オイルポンプドライブハブ１５の先端の径方向内方稜部１５Ｂが外歯歯車７と係合することなくできるから、オイルポンプドライブハブ１５による外歯歯車７の軸方向への押圧を軽減できて外歯歯車７の焼付き発生を抑制することができる。
【００１２】
【００１３】
【００１４】
なお、本発明の実施形態では、両歯車６、７の歯数差は２で両歯車間に形成されるポンプ室の吸入領域Ｐ１と吐出領域Ｐ２とを仕切るための三日月状の仕切り部材１０を設けたが、両歯車の歯数差を１とし仕切り部材を設けず両歯車の歯先を微小間隙を介し対向してポンプ室の吸入領域と吐出領域とを仕切るようにしても良いことは勿論である。
【００１５】
【発明の効果】
このように本発明では、外歯歯車には軸方向へ突出する軸方向突部を形成し、軸方向突部の一端側には駆動軸と係合して駆動軸の回転駆動力が伝達される回転駆動力伝達部を形成すると共に、回転駆動力伝達部の軸方向の内方に連なって駆動軸の先端稜部が位置する個所に凹部を形成し、凹部は駆動軸の先端稜部と非接触に設けたことにより、駆動軸の回転駆動と停止とを繰り返しても駆動軸の先端稜部が係合する窪みを外歯歯車に生じることがなく、ポンプ作動中に駆動軸が外歯歯車に向け軸方向へ移動しても、駆動軸の先端稜部が外歯歯車と係合することなくでき、駆動軸による外歯歯車の軸方向への押圧を軽減できて外歯歯車の焼付き発生を抑制することができる。
【図面の簡単な説明】
【図１】  本発明の一実施形態を示した内接歯車ポンプの縦断面図である。
【図２】  図１の線Ａ−Ａに沿った断面図である。
【図３】  図１の線Ｂ−Ｂに沿った拡大断面図である。
【符号の説明】
１  ポンプハウジング
２  収容孔
３  蓋部材
５  ポンプ本体
６  内歯歯車
７  外歯歯車
７Ｂ  スプライン（回転駆動力伝達部）
７Ｃ  凹部
１５  オイルポンプドライブハブ（駆動軸）
１５Ｂ  先端の径方向内方稜部（先端稜部）
１７Ｂ  キー（回転駆動力伝達部）
２５Ｂ  先端の径方向外方稜部（先端稜部）
【図１】
0003754580.tif 000002
【図２】
0003754580.tif 000003
【図３】
0003754580.tif 000004